(57)【要約】【課題】構成要素が簡素で低コストであり、かつ物品を強固に固定することができるカートンおよびカートンブランクを提供する。【解決手段】筒状構造を形成するための底壁、側壁および頂壁を備え、頂壁／底壁の一部を打ち抜いて頂部／底部係合固定部および頂部／底部押圧フラップが形成され、頂部／底部係合固定部および頂部／底部押圧フラップは、カートン内方へ折り曲げられて筒状構造の両開口端に配置された物品の頂部と底部を押圧するとともに、頂部／底部係合固定部が筒状構造の両開口端に配置された物品の頂部と底部の凹部に係合して物品を固定し、さらに、頂壁および底壁の一部を打ち抜いて第２頂部押圧フラップおよび第２底部押圧フラップが形成され、第２頂部／底部押圧フラップは、カートン内方に折り曲げられて両開口端に配置された物品間に配置された物品の頂部および底部を押圧して固定することを特徴とするカートン。【選択図】図１
0003117734.tif 000002
【実用新案登録請求の範囲】
【請求項１】
少なくとも３個の物品を列状に配置し、少なくとも１列保持するカートンであって、上記カートンは、筒状構造を形成するための底壁パネル、一対の側壁パネルおよび頂壁パネルを含む複数のパネルを備え、
上記頂壁パネルの一部を打ち抜くことによって形成された頂部係合固定部が折目線を介して上記頂壁パネルに折り曲げ自在に接続され、上記頂壁パネルの一部を打ち抜くことによって形成された頂部押圧フラップが折目線を介して一部は上記頂壁パネルと、かつ一部は上記頂部係合固定部と折り曲げ自在に接続され、
上記底壁パネルの一部を打ち抜くことによって形成された底部係合固定部が折目線を介して上記底壁パネルに折り曲げ自在に接続され、上記底壁パネルの一部を打ち抜くことによって形成された底部押圧フラップが折目線を介して一部は上記底壁パネルと、かつ一部は上記底部係合固定部と折り曲げ自在に接続され、
上記頂部／底部係合固定部および上記頂部／底部押圧フラップは、カートン内方へ折り曲げられ、カートン内部にて、上記頂部／底部押圧フラップが上記筒状構造の両開口端に配置された物品の頂部と底部を押圧するとともに、上記頂部／底部係合固定部が上記筒状構造の両開口端に配置された物品の頂部と底部の凹部に係合することによって物品を固定し、
さらに、上記頂壁パネルおよび底壁パネルの一部を打ち抜くことによって形成された第２頂部押圧フラップおよび第２底部押圧フラップが折目線を介して折り曲げ自在に接続され、これら第２頂部／底部押圧フラップがカートン内方に折り曲げられ、上記両開口端に配置された物品間に配置された物品の頂部および底部を押圧して固定することを特徴とするカートン。
【請求項２】
前記頂部押圧フラップと、前記頂壁パネルおよび前記頂部係合固定部とを接続する折目線と、
前記底部押圧フラップと、前記底壁パネルおよび前記頂部係合固定部とを接続する折目線が、円弧状であることを特徴とする請求項１に記載のカートン。
【考案の詳細な説明】
【技術分野】
【０００１】
本考案は、物品を収容するカートンに係り、特に、組み立てが容易で、物品を強固に保持することができ、かつ原材料コストを大幅に削減することができるカートンに関する。
【背景技術】
【０００２】
従来より、ソフトドリンク等の飲料用缶等の物品を複数収容して流通や消費者の使用に供されるカートンが提供されている。消費者は、そのような物品をカートン単位で購入した際には、カートンの頂部に形成された把持手段によってカートンを持ち運び、物品を取り出す際は、カートンを破壊して物品を取り出している。
【０００３】
一般に、物品を収容するカートンには、頂壁パネル、底壁パネルおよび前後左右の側壁パネルからなる箱状のカートンや、箱状カートンの一部が切り抜かれて窓部を有することで内容物が確認できるカートンや、また、頂壁パネル、底壁パネルおよび一対の側壁パネルを備えて、前端と後端が開放された筒状構造を有し、内容物を確認することができるいわゆるラウンドアップカートンが知られている。さらに、ラウンドアップカートンの開口部に物品の脱落防止のために部分的に閉鎖構造（側壁パネル）を有するカートンや、物品の頂部のみを覆って把持するカートン等、数多くのカートンが知られている。これらカートンには、頂壁パネルの一端あるいは頂壁パネルの一部に把持部を有するものもあり、これによって持ち運びや陳列に供している。
【０００４】
ラウンドアップカートンの開口部に閉鎖構造を有するカートンや箱状カートン等の物品を覆う面積の大きなカートンは、物品を強固に保持することができ、強度の観点からは好ましいものの、カートンを構成するパネル数が多くてカートン材料の使用量が多く、原料コストが増大するという問題を有していた。一方、閉鎖構造を有さないラウンドアップカートンや物品の頂部のみを把持するカートン等は、構造が簡素で低コストである反面、強度に問題を有しており、使用中にカートンが破断して物品が脱落し易いという問題があった。
【０００５】
そのような問題に対し、ラウンドアップカートンの頂壁と底壁の一部を切り抜くことによって複数の物品押圧フラップを設け、この物品押圧フラップをカートン内方へ折り込んで缶等の物品の頂部と底部を押圧して物品を固定するカートンが開示されている（例えば、特許文献１参照）。
【０００６】
しかしながら、このカートンでは、直線状の折目線を介して単にフラップをカートン内方へ折り込んでいるのみであるので、例えばフラップが壁パネルに対して１８０度折り込まれた状態となった場合、フラップが壁パネルの裏側に密着して物品に接触していないので、物品を押圧することができず、物品の固定力が不十分であるという問題があった。
【０００７】
この問題を解決できるラウンドアップカートンとして、カートンの頂壁／底壁に打ち抜き形成された物品押圧フラップと頂壁／底壁とを接続する折目線上の一部に三角形のパネルを設け、これら押圧フラップと三角パネルをカートン内方へ折り返すことによって、物品を固定するカートンが開示されている（例えば、特許文献２参照）。このカートンによれば、物品押圧フラップおよび三角パネルといった互いに傾斜する２つの面がカートン内方に突出するため、物品押圧フラップが頂壁パネルに密着してしまうことがなく、物品を押圧固定すると共に、三角パネルが物品に引っ掛かって脱落を防止することができる。
【０００８】
しかしながら、このカートンでは、筒状構造の両開口部に配置された物品のみを固定しており、これら物品間に挟まれて配置された物品には固定のためのフラップは設けられておらず、両開口部の物品の固定によって内部の物品の脱落が防がれているに過ぎなかった。したがって、開口部の物品が脱落した場合には、続いて内部の物品も脱落してしまうという問題があった。
【０００９】
この問題を解決できるカートンとして、頂壁パネルの一部に打ち抜いて形成された係合フラップをカートン内方へ折り込んで、物品の頂部の凹部に係合させて物品を固定するカートンが開示されている（例えば、特許文献３）。このカートンによれば、両開口部の物品に挟まれた内部の物品をも固定することができる。
【００１０】
【特許文献１】米国特許第３，０３２，１８５号
【特許文献２】米国特許第Ｒｅ２６，３３９号
【特許文献３】米国特許第２，６８４，７５９号
【考案の開示】
【考案が解決しようとする課題】
【００１１】
しかしながら、このカートンでは、折り込んだ係合フラップを固定する手段がないため、係合フラップのカートン外方への復元力によって物品との係合部分が容易に外れてしまい、固定力は十分とはいえなかった。
【００１２】
本考案は、上記状況に鑑みてなされたものであり、構成要素が簡素で低コストであり、かつ物品を強固に固定することができるカートンを提供することを目的としている。
【課題を解決するための手段】
【００１３】
本考案は、少なくとも３個の物品を列状に配置し、少なくとも１列保持するためのカートンであって、筒状構造を形成するための底壁パネル、一対の側壁パネルおよび頂壁パネルを含む複数のパネルを備え、頂壁パネルの一部を打ち抜くことによって形成された頂部係合固定部が折目線を介して頂壁パネルに折り曲げ自在に接続され、頂壁パネルの一部を打ち抜くことによって形成された頂部押圧フラップが折目線を介して一部は頂壁パネルと、かつ一部は頂部係合固定部と折り曲げ自在に接続され、底壁パネルの一部を打ち抜くことによって形成された底部係合固定部が折目線を介して底壁パネルに折り曲げ自在に接続され、底壁パネルの一部を打ち抜くことによって形成された底部押圧フラップが折目線を介して一部は底壁パネルと、かつ一部は底部係合固定部と折り曲げ自在に接続され、頂部／底部係合固定部および頂部／底部押圧フラップは、カートン内方へ折り曲げられ、カートン内部にて、頂部／底部押圧フラップが筒状構造の両開口端に配置された物品の頂部と底部を押圧するとともに、頂部／底部係合固定部が筒状構造の両開口端に配置された物品の頂部と底部の凹部に係合することによって物品を固定し、さらに、頂壁パネルおよび底壁パネルの一部を打ち抜くことによって形成された第２頂部押圧フラップおよび第２部押圧フラップが折目線を介して折り曲げ自在に接続され、これら第２頂部／底部押圧フラップがカートン内方に折り曲げられ、両開口端に配置された物品間に配置された物品の頂部および底部を押圧して固定することを特徴としている。
【００１４】
上記構成の本考案のカートンにあっては、頂部／底部押圧フラップが物品列のうち筒状構造の両開口端に配置された物品の頂部と底部を押圧するとともに、頂部／底部係合固定部が筒状構造の両開口端に配置された物品の頂部と底部の凹部に係合することによって物品を固定しており、さらに、両開口端に配置された物品間に配置された物品をも、第２頂部／底部押圧フラップの折り返しによって頂部と底部を固定しているので、これら個々の物品全てが強固に固定され、脱落を防止することができる。また、上記固定手段は全て頂壁パネルおよび底壁パネルの一部を打ち抜いて形成されたものであり、付加的なパネルは一切必要としないことから、カートンブランクの原料使用量を少なく抑えることができ、低コスト化が可能である。
【００１５】
また、本考案は、頂部押圧フラップと、頂壁パネルおよび頂部係合固定部とを接続する折目線と、底部押圧フラップと、底壁パネルおよび頂部係合固定部とを接続する折目線が、円弧状であることを好ましい形態としている。このような形態によれば、頂部／底部押圧フラップをカートン内方に折り込む場合に、折り込まれる折目線が円弧状であるため、頂部／底部押圧フラップが円弧状に撓み、外力に対して強度が増加する。結果として、頂部／底部押圧フラップの物品に対する押圧が強化されるとともに頂部／底部係合固定部の物品に対する係合も強化される。
【考案を実施するための最良の形態】
【００１６】
以下、本考案の実施形態について図面を参照しながら説明する。なお、以下の説明では、缶等の物品を３個×２列で収納するカートンおよびカートンブランクを例示しているが、本考案は、以下に説明する形態のカートンおよびカートンブランクに限定されない。
【００１７】
図１には、物品を収容するためのカートンを形成するためのものであって、ボール紙またはそれに類する折り曲げ自在なシート材から作製されたブランク１ａが示されている。図１において、ブランク１ａは、第１底壁パネル１０ａと、第１側壁パネル１１ａと、頂壁パネル１２と、第２側壁パネル１１ｂと、第２底壁パネル１０ｂとを備え、これらは折目線２０ａ，２２ａ，２２ｂ，２０ｂによって折り曲げ自在に連続的に接続されている。これらパネルを折り曲げ、第１底壁パネル１０ａおよび第２底壁パネル１０ｂを接続することによって、物品を収容する筒状構造が形成される。
【００１８】
頂壁パネル１２には、カートンブランクの打ち抜きによって頂部押圧フラップ４０と頂部係合固定部４１が頂壁パネルの筒状構造開口端に近い４箇所に形成されている。頂部押圧フラップ４０は、折目線３０を介して頂壁パネル１２および頂部係合固定部４１と接続されており、頂部係合固定部４１は、折目線３１を介して頂壁パネル１２と接続されている。また、頂壁パネル１２の中央部には、第２頂部押圧パネル４２が打ち抜き形成され、折目線３２を介して接続されている。さらに、頂壁パネル１２には、一対の把持フラップ４３が折目線３３を介して接続されている。把持フラップ４３をカートン内部に折り込むことで、使用者は指をカートン内に挿入して、把持することができる。
【００１９】
同様に、第１底壁パネル１０ａおよび第２底壁パネル１０ｂには、カートンブランクの打ち抜きによって底部押圧フラップ４４ａ，４４ｂと底部係合固定部４５ａ，４５ｂが底壁パネルの筒状構造開口端に近い４箇所に形成されている。底部押圧フラップ４４ａは、折目線３４ａを介して第１底壁パネル１０ａおよび底部係合固定部４５ａと接続されており、底部係合固定部４５ａは、折目線３５ａを介して第１底壁パネル１０ａと接続されている。また、底部押圧フラップ４４ｂは、折目線３４ｂを介して第２底壁パネル１０ｂおよび底部係合固定部４５ｂと接続されており、底部係合固定部４５ｂは、折目線３５ｂを介して第２底壁パネル１０ｂと接続されている。また、第１／第２底壁パネル１０ａ，１０ｂの中央部には、第２底部押圧パネル４６ａ，４６ｂが打ち抜き形成され、折目線３６ａ，３６ｂを介して接続されている。さらに、第２底壁パネル１０ｂには、ロックフラップ４７が、第１低壁パネル１０ａには、ロックフラップ受容スリット５０が形成されている。カートンの組み立ての際、ロックフラップ４７をロックフラップ受容スリット５０に挿入することによって、第１底壁パネル１０ａ、第１側壁パネル１１ａ、頂壁パネル１２、第２側壁パネル１１ｂ、および第２底壁パネル１０ｂからなる筒状構造を形成する。
【００２０】
図１に示すブランク１ａからカートンを組み立てるために、連続的な折り曲げ作業が行われる。折り曲げ作業は、直線状の機械ラインでブランクないしカートンを反転または回転させることなく行われる。また、機械ラインではなく手作業で組み立てる場合も同様である。以下はその手順を示すものであるが、本考案は以下の例に限定されるものではない。
【００２１】
まず、組み立て後にカートンの内側となる面が上方、カートンの外側となる面が下方になるように、ブランク１ａを水平に置く。次に、折目線３０および３１を曲げることによって４箇所の頂部押圧フラップ４０および頂部係合固定部４１をカートン内方（上方）に折り曲げ、頂部押圧フラップ４０を頂壁パネル１２に接触させた状態でこれらフラップの上に缶等の物品を頂部を下にして４個載置する。また、２箇所の頂部押圧フラップ４２をカートン内方に折り曲げ、頂壁パネル１２に接触させた状態でこれらフラップの上に物品を頂部を下にして２個載置する。続いて折目線２２ａ，２２ｂを介して第１側壁パネル１１ａおよび第２側壁パネル１１ｂを上方に折り曲げて物品の側面に密着させ、折目線２０ａ，２０ｂを介して第１底壁パネル１０ａおよび第２底壁パネル１０ｂを下方に折り曲げる。この際、底部押圧フラップ４４ａ，４４ｂおよび底部係合固定部４５ａ，４５ｂおよび底部押圧フラップ４６ａ，４６ｂをカートン内方に折り曲げてそれぞれのフラップを第１底壁パネル１０ａおよび第２底壁パネル１０ｂに密着させながら第１底壁パネル１０ａおよび第２底壁パネル１０ｂを物品に密着させ、同時にロックフラップ４７をロックフラップ受容スリット５０に挿入してカートンの筒状構造を閉鎖する。こうして図３および図４に示すようなパッケージが完成する。図３は物品（飲料等の缶）が収納されたカートンを上方から見た斜視図であり、図４は下方から見た斜視図である。
【００２２】
本実施形態のカートンにおいては、図３に示すように、頂部押圧フラップ４０と共に頂部係合固定部４１がカートン内方に折り込まれているので、頂部押圧フラップ４０が頂壁パネル１２に密着せず、頂部押圧フラップ４０と頂壁パネル１２の間に空隙が生じ、これにより頂部押圧フラップ４０を缶Ｃに押し当てることとなり、かつ頂部押圧フラップ４０が缶Ｃの端部と係合する。さらに、カートン内方に折り込まれた頂部係合固定部４１も缶Ｃの端部に係合するので、缶Ｃの脱落を防止することができる。このようにして、カートンの筒状構造の開口端に配置された４つの缶が強固に固定される。さらに、本考案では、第２頂部押圧パネル４２がカートン内方へ折り込まれているので、この第２頂部押圧パネルがカートン外方へ戻ろうとする復元力でカートン内部の缶Ｃを押圧するとともに缶Ｃの端部に係合し、固定する。このように、本考案では、開口端に配置された缶のみならず、内部に保持された缶をも固定することができ、保持される全ての缶の脱落を防止することができる。さらに、カートンの底部においても、上記頂部の場合と同様、図４に示すように底部押圧フラップ４４、底部係合固定部４５、および第２底部押圧フラップ４６が缶Ｃの底部を固定している。
【００２３】
本考案では、上記の効果を得るために付加的なパネルを必要とせず、頂壁パネル１２および底壁パネル１０ａ，１０ｂの打ち抜きによって形成された押圧フラップや係合固定部のみによって物品の固定を実現しているので、カートンブランクの形状は単純な矩形状であり、カートンブランクの製造時においてカートン材の廃棄部分がほとんど無く、低コスト化を実現することができる。
【００２４】
本考案の他の実施形態のカートンブランク１ｂを図２に示す。このカートンブランク１ｂの基本的な構成はカートンブランク１ａと同様であるが、頂部押圧フラップを区画する折目線３０および底部押圧フラップ４４ａ，４４ｂを区画する折目線３４ａ，３４ｂが円弧状となっている点がカートンブランク１ａとの相違点である。このように折目線３０，３４ａおよび３４ｂが円弧状となっているので、カートン内方に折り込まれた際に、頂部押圧フラップ４０，４４ａおよび４４ｂは、円弧状に撓む。円弧状に撓んだ頂部押圧フラップは平面状である場合と比較して外力に対するフラップ自体の折り曲げ強度が向上するとともに、折目線自体も円弧状であることからフラップのカートン外方への押し戻しに対して抗する作用が向上する。結果として、頂部押圧フラップが物品をより強力に固定し、脱落を防止する。
【００２５】
以上、本考案の具体的な実施形態を説明したが、本考案はこれらのみに限定されるものではなく、例えば１列に配列した物品や、３列以上に配列した物品を保持するカートンに適用することも可能である。
【００２６】
以上、本考案においては、第１底壁パネルおよび第２底壁パネルの閉鎖をロックフラップとスライドロックフラップ受容スリットの係合によって行ったが、本考案はこれらのみに限定されるものではなく、糊付け等、任意の閉鎖手段を講じることができる。
【００２７】
上記の説明で使用した頂、底、端、前、後、内側、および外側などの方向を表わす用語は、それぞれのパネルをそのような方向に限定するものではなく、単にパネルどうしを互いに区別するためのものにすぎない。折目線という用語は必ずしも単一の折目線を指すものではなく、本考案の範囲を逸脱しない限りにおいて、１または複数の刻み線や、例えばミシン目やプレス型押しで薄くした線等の容易に折れたり曲がったりする線であっても良い。また、本考案は、考案の範囲から逸脱することなく、種々の配列の物品のカートンに適用することができる。
【産業上の利用可能性】
【００２８】
以上説明したように、本考案によれば、カートンおよびカートンブランクを提供することができる。
【図面の簡単な説明】
【００２９】
【図１】本考案のカートンブランクを示す平面図である。
【図２】本考案の他の実施形態におけるカートンブランクの平面図である。
【図３】図１のカートンブランクを組み立てたカートン頂部の斜視図である。
【図４】図１のカートンブランクを組み立てたカートン底部の斜視図である。
【符号の説明】
【００３０】
１        カートンブランク
１０ａ    第１底壁パネル
１０ｂ    第２底壁パネル
１１ａ    第１側壁パネル
１１ｂ    第２側壁パネル
１２      頂壁パネル
２０〜２２  折目線
３０〜３７  折目線
４０      頂部押圧フラップ
４１      頂部係合固定部
４２      第２頂部押圧フラップ
４３      把持フラップ
４４      底部押圧フラップ
４５      底部係合固定部
４６      第２底部押圧フラップ
４７      ロックフラップ
５０      ロックフラップ受容スリット
【図１】
0003117734.tif 000003
【図２】
0003117734.tif 000004
【図３】
0003117734.tif 000005
【図４】
0003117734.tif 000006